(57)【要約】【課題】トイレットペーパーロールから適当な使用量を切り出す際、切り出し後にロールに残留したペーパー端がロールに巻き付き、新たに引き出す際に衛生上の問題があり、またペーパー表裏面の使用などに制限があった。【解決手段】トイレットペーパーロール保持器１にペーパー支持部２とペーパーガイド部３を追加した。保持器に開閉可能に構成したペーパー切り取りエッジ部１２とペーパー支持部２の挟み込み係合でペーパーを切り取り、ロール側に残ったペーパーをペーパー支持部２に残留させてペーパーロール面２２への巻き付きを防ぎ、衛生上の問題を無くした。ペーパーガイド部２がトイレットペーパーロールの保持器装着の自由度を高め、ペーパー表裏の選択使用の便宜を提供した。ロール径依存のない確実な挟み込みペーパー切り取りを実現している。【選択図】図１
2020185362.tif 000002
【特許請求の範囲】
【請求項１】
壁面取り付け部と、
前記壁面取り付け部に取り付けられた第1保持器側板と、
前記第１保持器側板に取り付けられ、トイレットペーパーロールから引き出されたトイレットペーパーをガイドすると共に、前記第1保持器側板に交差する方向に延伸している棒状のペーパーガイド部と、
前記ペーパーガイド部に近接又は一体化して設けられると共に、前記第１保持器側板に取り付けられたペーパー支持部と、
先端部にペーパー切り取りエッジ部を有する上面蓋と、を備え、
前記ペーパー支持部は、前記ペーパーガイド部を介してガイドされた前記トイレットペーパーを支持し、
前記ペーパー切り取りエッジ部は、前記ペーパー支持部に対向して配置されており、前記ペーパー切り取りエッジ部と前記ペーパー支持部とで前記トイレットペーパーを挟んで切り取るように構成したことを特徴とするトイレットペーパーロール保持器。
【請求項２】
前記トイレットペーパーロールを保持するためのロール芯保持機構を更に備え、
前記ロール芯保持機構の片端は、前記ペーパー支持部、又は前記第１保持器側板のいずれかに取り付けられていることを特徴とする請求項１に記載のトイレットペーパーロール保持器。
【請求項３】
前記第１保持器側板に対向して設けられた第２保持器側板と、
前記トイレットペーパーロールを保持するためのロール芯保持機構と、を更に備え、
前記ロール芯保持機構の一端は、前記第１保持器側板に取り付けられ、前記ロール芯保持機構の他端は、前記第２保持器側板に取り付けられており、
前記上面蓋の端部に、弾性を有する折曲部を有し、
前記ペーパー切り取りエッジ部は、前記上面蓋の前記折曲部に接続されており、
前記ペーパー支持部は、前記上面蓋が延伸する方向と交差する方向に延伸して前記第１保持器側板及び第２保持器側板に取り付けられていることを特徴とする請求項１に記載のトイレットペーパーロール保持器。
【請求項４】
前記上面蓋は、前記壁面取り付け部に開閉可能に取り付けられていることを特徴とする請求項１から３のいずれか１項に記載のトイレットペーパーロール保持器。
【請求項５】
前記上面蓋は、前記第1保持器側板または前記第２保持器側板に開閉可能に取り付けられていることを特徴とする請求項１から３のいずれか１項に記載のトイレットペーパーロール保持器。
【請求項６】
前記上面蓋は、上面固定部と、上面回転部と、前記上面固定部と前記上面回転部とを接続する上面回転部接続部材とを含むことを特徴とする請求項１から５のいずれか１項に記載のトイレットペーパーロール保持器。
【請求項７】
前記ペーパー支持部の前記トイレットペーパーの支持面に前記ペーパー切り取りエッジ部を嵌合する嵌合溝を有することを特徴とする請求項１から６のいずれか一項に記載のトイレットペーパーロール保持器。
【請求項８】
第1保持器側板と、
前記第１保持器側板に対向して配置された第２保持器側板と、
前記第１及び第２保持器側板に取り付けられ、トイレットペーパーロールから引き出されたトイレットペーパーをガイドすると共に、前記第1保持器側板と前記第２保持器側板に交差する方向に延伸している棒状のペーパーガイド部と、
前記ペーパーガイド部に近接又は一体化して設けられると共に、前記第１保持器側板と前記第２保持器側板とに取り付けられたペーパー支持部と、
前記第1保持器側板または前記第２保持器側板に開閉可能に取り付けたペーパー切り取りエッジ部と、を備え、
前記ペーパー支持部は、前記ペーパーガイド部を介してガイドされた前記トイレットペーパーを支持し、
前記ペーパー切り取りエッジ部は、前記ペーパー支持部に対向して取り付けられ、前記ペーパー切り取りエッジ部と前記ペーパー支持部とで前記トイレットペーパーを挟んで切り取るように構成したことを特徴とするトイレットペーパーロール保持器。
【発明の詳細な説明】
【技術分野】
【０００１】
本発明は、トイレットペーパーロール保持器に関するものである。          
【背景技術】
【０００２】
これまでは、トイレットペーパーロールからペーパーを引き出し、切り取るさいに、トイレットペーパーロール保持器の上面蓋の切り取りエッジ部とロールが密着して、ロール面に非接触でペーパーを引き出すことは難しく、また滑らかなペーパー表面の使用には制限があった。
【先行技術文献】
【特許文献】
【０００３】
【特許文献１】特許第５９５０３５２号
【特許文献２】特開２００３−２４２４１号公報
【特許文献３】実開平５−２１７９５号
【発明の概要】
【発明が解決しようとする課題】
【０００４】
トイレットペーパーロールからペーパーを引き出し、切り取るさいにロール面に手が触れ水分の染み込みや病原菌の媒介など、衛生的といえない状況にあり、またペーパーの滑らかな表面使用という観点ではペーパーの切り取り方で制限される不自由な側面があった。本発明は、以上のような課題をなくすためになされたものである。
【課題を解決するための手段】
【０００５】
本発明に係るトイレットペーパーロール保持器は、壁面取り付け部と、前記壁面取り付け部に取り付けられた第1保持器側板と、前記第１保持器側板に取り付けられ、トイレットペーパーロールから引き出されたトイレットペーパーをガイドすると共に、前記第1保持器側板に交差する方向に延伸している棒状のペーパーガイド部と、前記ペーパーガイド部に近接又は一体化して設けられると共に、前記第１保持器側板に取り付けられたペーパー支持部と、先端部にペーパー切り取りエッジ部を有する上面蓋と、を備える。前記ペーパー支持部は、前記ペーパーガイド部を介してガイドされた前記トイレットペーパーを支持している。前記ペーパー切り取りエッジ部は、前記ペーパー支持部に対向して配置されており、前記ペーパー切り取りエッジ部と前記ペーパー支持部とで前記トイレットペーパーを挟んで切り取るように構成したことを特徴とする。
【０００６】
本発明に係るトイレットペーパーロール保持器では、相互に近接または一体化されて形成されたペーパーガイド部とペーパー支持部を備えている。これにより、ペーパーロール面から引き出されたペーパーがペーパーガイド部からペーパー支持部に引き出され、ペーパー支持部の上に支持されるので、ペーパーがペーパーロール面から空間的に分離されることができる。また、ペーパーガイド部とペーパー支持部とが相互に近接または一体化されて形成されているので、ペーパーの円滑なガイドが実現される。
【０００７】
また、本発明に係るトイレットペーパーロール保持器では、前記トイレットペーパーロールを保持するためのロール芯保持機構を更に備えていてもよい。また、前記ロール芯保持機構の片端は、前記ペーパー支持部、又は前記第１保持器側板のいずれかに取り付けられていることを特徴としてもよい。
【０００８】
本発明に係るトイレットペーパーロール保持器では、トイレットペーパーロールを保持するためのロール芯保持機構を、ペーパー支持部の片側か第１保持器側板に片持ちで取り付けた構造を有する。これにより、トイレットペーパーロールの支持位置とペーパー支持部との距離を一定に保持することができるので、ペーパーを引き出す応力を一定にすることができる。また、第１保持器側板を大幅に小型化することができ、トイレットペーパーロール保持器をコンパクトな形状に小型化することができる。
【０００９】
また、本発明に係るトイレットペーパーロール保持器では、前記第１保持器側板に対向して設けられた第２保持器側板と、前記トイレットペーパーロールを保持するためのロール芯保持機構と、を更に備えてもよい。前記ロール芯保持機構の一端は、前記第１保持器側板に取り付けられ、前記ロール芯保持機構の他端は、前記第２保持器側板に取り付けられていてもよい。また、前記上面蓋の端部に、弾性を有する折曲部を有していてもよい。さらに、前記ペーパー切り取りエッジ部は、前記上面蓋の前記折曲部に接続されており、前記ペーパー支持部は、前記上面蓋が延伸する方向と交差する方向に延伸して前記第１保持器側板及び第２保持器側板に取り付けられていることを特徴としてもよい。
【００１０】
本発明に係るトイレットペーパーロール保持器では、ロール芯保持機構とペーパー支持部が、保持器側板に両持ちで取り付けられている。上面蓋が延伸する方向と交差する方向に延伸したペーパー支持部は、ペーパー切り取りエッジ部と対向して配置されている。このため、ペーパー支持部の上に支持されたペーパーを、ペーパーロール面から空間的に分離することができる。さらに、トイレットペーパーロール保持器の下方からトイレットペーパーロールを簡単に装着でき、またトイレットペーパーロールをトイレットペーパーロール保持器から上方へ簡単に取り出すことができる。
【００１１】
また、本発明に係るトイレットペーパーロール保持器では、前記上面蓋は、前記壁面取り付け部に開閉可能に取り付けられていることを特徴としてもよい。
【００１２】
本発明に係るトイレットペーパーロール保持器では、上面蓋は壁面取り付け部の上方端部にある上面蓋接続部材に開閉可能に取り付けられており、上面蓋の先端部にペーパー切り取りエッジ部を備えるように構成されているので、ペーパー支持部とペーパー切り取りエッジ部とでトイレットペーパーを挟んで切り取ることができる。
【００１３】
また、本発明に係るトイレットペーパーロール保持器では、前記上面蓋は、前記第1保持器側板または前記第２保持器側板に開閉可能に取り付けられていることを特徴としてもよい。
【００１４】
本発明に係るトイレットペーパーロール保持器では、上面蓋は、保持器側板に開閉可能に取り付けられているので、左右の方向に上面蓋を開閉できる。
【００１５】
また、本発明に係るトイレットペーパーロール保持器では、前記上面蓋は、上面固定部と、上面回転部と、前記上面固定部と前記上面回転部とを接続する上面回転部接続部材とを含むことを特徴としてもよい。
【００１６】
本発明に係るトイレットペーパーロール保持器では、上面蓋は、上面固定部と、上面回転部とを備えているので、上面回転部の開閉により、上面回転部に取り付けられたペーパー切り取りエッジ部とペーパー支持部とでトイレットペーパーを挟んで切り取ることができる。また、上面蓋の端部にある上面回転部を開き、そこからペーパー支持部に支持されたペーパーをつまんで引き出すことができる。
【００１７】
また、本発明に係るトイレットペーパーロール保持器では、前記ペーパー支持部の前記トイレットペーパーの支持面に前記ペーパー切り取りエッジ部を嵌合する嵌合溝を有することを特徴としてもよい。
【００１８】
本発明に係るトイレットペーパーロール保持器では、ペーパー支持部のトイレットペーパーの支持面にペーパー切り取りエッジ部を嵌合する嵌合溝を備えているため、トイレットペーパーを嵌合溝で両面から挟んで容易に切り取ることができる。
【００１９】
また、本発明に係るトイレットペーパーロール保持器は、第1保持器側板と、前記第１保持器側板に対向して配置された第２保持器側板と、前記第１及び第２保持器側板に取り付けられ、トイレットペーパーロールから引き出されたトイレットペーパーをガイドすると共に、前記第1保持器側板と前記第２保持器側板に交差する方向に延伸している棒状のペーパーガイド部と、前記ペーパーガイド部に近接又は一体化して設けられると共に、前記第１保持器側板と前記第２保持器側板とに取り付けられたペーパー支持部と、前記第1保持器側板または前記第２保持器側板に開閉可能に取り付けたペーパー切り取りエッジ部と、を備えることができる。また、前記ペーパー支持部は、前記ペーパーガイド部を介してガイドされた前記トイレットペーパーを支持している。さらに、前記ペーパー切り取りエッジ部は、前記ペーパー支持部に対向して取り付けられ、前記ペーパー切り取りエッジ部と前記ペーパー支持部とで前記トイレットペーパーを挟んで切り取るように構成したことを特徴としてもよい。
【００２０】
本発明に係るトイレットペーパーロール保持器では、トイレットペーパーロールを保持するためのロール芯保持機構は保持器側板に両持ちで取り付けられ、ペーパー支持部は、上面蓋が延伸する方向と交差する方向に延伸して保持器側板の側板端面に取り付けられている。このため、ペーパー支持部の上に支持されたペーパーを、ペーパーロール面から空間的に分離することができる。さらに、上面蓋が自在開閉しトイレットペーパーロール保持器の下方からトイレットペーパーロールをトイレットペーパーロール保持器に簡単に装着できる。さらに、トイレットペーパーロールをトイレットペーパーロール保持器から上方へ簡単に取り出すことができる。
【発明の効果】
【００２１】
ペーパーロール面から空間的に離れ、ペーパー支持部の上面に残留したペーパーロール引き出し部をつかみ、ペーパーロール面に手を触れることなくペーパーの引き出し切り取りができる。この結果、衛生面上の問題点を解決できる。また、ペーパーガイド部とペーパー支持部の導入で、トイレットペーパーロールのトイレットペーパーロール保持器への装着に自由度ができる。このため、ペーパー支持部に置かれたペーパーの表裏の選択が可能となる。
【図面の簡単な説明】
【００２２】
【図１】図１は、実施例１のトイレットペーパーロール保持器の側面図を示す図である。
【図２】図２は、実施例１のトイレットペーパーロール保持器のペーパー切り取りを説明するための図である。
【図３】図３は、実施例１のトイレットペーパーロール保持器の斜視図Ａを示す図である。
【図４】図４は、実施例１のトイレットペーパーロール保持器の斜視図Ｂを示す図である。
【図５】図５は、実施例３のトイレットペーパーロール保持器の側面図を示す図である。
【図６】図６は、実施例３のトイレットペーパーロール保持器のペーパー切り取り後の状態を示す図である。
【図７】図７は、実施例３のトイレットペーパーロール保持器の斜視図Ａを示す図である。
【図８】図８は、実施例３のトイレットペーパーロール保持器の斜視図Ｂを示す図である。
【図９】図９は、実施例３のトイレットペーパーロール保持器の上面蓋を引き上げた状態を説明する図である。
【図１０】図１０は、実施例４のトイレットペーパーロール保持器の側面図を示す図である。
【図１１】図１１は、実施例４のトイレットペーパーロール保持器のモールド一体化保持器の斜視図Ａを示す図である。
【図１２】図１２は、実施例４のトイレットペーパーロール保持器のモールド一体化保持器の斜視図Ｂを示す図である。
【図１３】図１３は、開閉型ペーパー支持構造体を有するトイレットペーパーロール保持器Ａを説明するための図である。
【図１４】図１４は、開閉型ペーパー支持構造体を有するトイレットペーパーロール保持器Ｂを説明するための図である。
【図１５】図１５は、尺取りループ切り取り方法の説明図である。
【図１６】図１６は、実施例２のステンレス製トイレットペーパーロール保持器の斜視図を示す図である。
【図１７】図１７は、ペーパー切り取り係合部を説明するための詳細図である。
【発明を実施するための形態】
【００２３】
図１、２，５，６，９，１０、１３、及び図１４では、直交座標系Ｓが示されている。直交座標系Ｓにおいては、Ｘ軸、Ｙ軸及びＺ軸が示されている。図３、４，７，８，１１，１２、及び図１６は、各実施形態における斜視図を示している。図において、Ａｘ１軸は上面蓋接続部材６の回転軸である。Ａｘ２軸は、上面回転部接続部材９の回転軸である。Ａｘ３軸は、切り取り板接続部材１５の回転軸である。また、保持器側板接続部材１８において、Ａｘ４軸は第1保持器側板接続部材１８aの回転軸であり、Ａｘ５軸は第1保持器側板接続部材１８bの回転軸であり、さらにＡｘ６はペーパー支持部接続部材２９の回転軸である。
【００２４】
図１は、実施例１に係るトイレットペーパーロール保持器の側面図を示す図である。図１に示すように、トイレットペーパーロール保持器１にペーパーガイド部３とペーパー支持部２を追加し、ペーパーガイド部３とペーパー支持部２はペーパーの円滑なガイドを実現するため相互に近接または接続し一体に形成されている。ペーパーロール面２２から引き出されたペーパーは、ペーパーガイド部３からペーパー支持部２に引き出され、ペーパー支持部２の上に支持されて、ペーパーロール面２２から空間的に分離されている。
【００２５】
トイレットペーパーロール２５はトイレットペーパーロール保持器１へ装着される。このトイレットペーパーロール２５のトイレットペーパーロール保持器１への装着では、通常の装着をすることができる。或いは、トイレットペーパーロール２５の装着方向は水平１８０度回転して装着することができる。この装着方向を変えることで、トイレットペーパーロール２５のペーパーロール面２２から引き出されるペーパーは、トイレットペーパーロール保持器１に対して、引き出し可能な方向が１８０度の変化をする。しかしながら、ペーパーガイド部３を追加することにより、１８０度反転したペーパーをさらに１８０度反転させることができる。従って、トイレットペーパーロール２５の装着方法によらず、いずれの装着方向でもペーパー支持部２の上面にペーパーを支持することができる。さらに、水平１８０度回転して装着された状態では、トイレットペーパーロール２５のペーパーロール面２２の反対の面がペーパー支持部２の上面で支持された状態になる。
【００２６】
ペーパーロール面２２からペーパー支持部２に引き出されたペーパーは、ペーパー支持部２と対向するペーパー切り取りエッジ部１２に挟まれて膠着状態で切り取られる。ペーパー切り取りエッジ部１２は、トイレットペーパーロール保持器１の壁面取り付け部１９または左右のいずれかの保持器側板１６（１６a、１６b）に開閉可能に取り付けられた上面蓋５の先端部に設けられる場合、或いはペーパー切り取りエッジ部１２は、第1保持器側板１６aか第２保持器側板１６bの左右のいずれかの側板端面１７に開閉可能に取り付けられた切り取り板回転部１４に設けられる場合がある。
【００２７】
切り取り後に、トイレットペーパーロール２５の端部であるペーパーロール引き出し部１３は、ペーパー支持部２に残留する。次にペーパーを引き出すときは、トイレットペーパーロール２５の端部であるペーパーロール引き出し部１３を手で引き出すことでペーパーロール面２２に触れることなく新たな引き出しができる。
【００２８】
図１に示すように、トイレットペーパーロール保持器１は、トイレットペーパーロール保持器１を壁面に固定するための壁面取り付け部１９と、第1保持器側板１６aと、上面蓋５と、ペーパーガイド部３と、ペーパー支持部２と、ロール芯保持機構２６と、を備える。また、通常市販の保持器に比べ新たな機能を追加するためのペーパーガイド部３と、ペーパー支持部２を有する。
【００２９】
ペーパーガイド部３は、ペーパー支持部２にペーパーを円滑にガイドし、ペーパー支持部２はペーパーを支持する。ペーパーガイド部３とペーパー支持部２の相互の位置関係は、ペーパーガイド部３からペーパー支持部２へ円滑なペーパーのガイドができるように設定する。ペーパー支持部２に支持されたペーパーがロール側に巻き戻されずに安定してペーパー支持部２に残留するように、ペーパー支持部２が水平方向に対して５度から２０度ほど傾斜角を持たせ第1保持器側板１６aに取り付けられている。ペーパー支持部２は、５ｃｍから８ｃｍほどの長さを有する板状の形状とすることができる。ペーパーガイド部３の反対に位置するペーパー支持部２の端部は、板状の形状をした端部である。このペーパーガイド部３の反対に位置する端部には、ペーパーの巻き戻り防止と、さらに挟み切り取り係合の強化のため、滑り易い板状のペーパー支持部２に、２から３ｃｍ幅程度の滑り難い摩擦係数の大きな表面加工を施してもよい。また、ペーパー支持部２の端部に２から３ｃｍ幅程度の粗面テープのテーピングをしてもよい。
【００３０】
ペーパーガイド部３とペーパー支持部２の保持器側板１６への取り付けにおいて、第1保持器側板１６aの上方とは、トイレットペーパーロール保持器１の第1保持器側板１６aを基準に、第1保持器側板１６aの上方端部に向かう方向である。また、第1保持器側板１６aの前方とは、第1保持器側板１６aの前方端部に向かう方向であり、第1保持器側板１６aの前方は、壁面取り付け部１９と反対に位置している。また、第1保持器側板１６aの下方は、第1保持器側板１６aの下方端部に向かう方向である。
【００３１】
ペーパー支持部２の保持器側板１６への取り付けは、第1保持器側板１６aの上方、又は、第1保持器側板１６aの前方、のいずれかの個所に行うことができる。図１は、ペーパー支持部２とペーパーガイド部３の第1保持器側板１６aの上方である上方側板Ｂ端面３３への取り付けを示す。図５は、同様にペーパー支持部２とペーパーガイド部３の第1保持器側板１６aと第２保持器側板１６bの前方の側板端面１７への取り付けを示す。
【００３２】
図１は、本実施形態に係るトイレットペーパーロール保持器の側面図を示す図である。図１において、ペーパー支持部２は第1保持器側板１６aの上方側板Ｂ端面３３へ第1保持器側板１６aに対して交差する方向に片持ちの状態で取り付けられている。本実施形態において、第1保持器側板１６aは、トイレットペーパーロール保持器１の左側側板である。また、ペーパー支持部２の上方に配置された上面蓋５は、上面固定部７と上面回転部８から構成されており、上面固定部７と上面回転部８とは、上面回転部接続部材９により接続されている。上面固定部７は、第1保持器側板接続部材１８aの回転機構の一方でＡｘ４軸に対し開閉可能に取り付けられている。第1保持器側板接続部材１８aの回転機構の他方は、第1保持器側板１６aの上方側板のＡ端面３２に取り付けられている。上面固定部７と対向するペーパー支持部２の空間的な位置関係は、ペーパーロール面２２から引き出されたペーパーのペーパー支持部２への支持に必要な、例えば１ｃｍから２ｃｍ程の空間的な段差（空隙）を持たせる。
【００３３】
トイレットペーパーロール２５から引き出されたペーパーは、ペーパーガイド部３を介してガイドされ、ペーパー支持部２に装着されて支持される。このため、ペーパーガイド部３は、ペーパーの装着に必要な空間を確保するために、トイレットペーパーロール保持器１の壁面取り付け部１９から例えば３ｃｍから５ｃｍほど離して第1保持器側板１６aに取り付けられる。また、第1保持器側板１６aに交差する方向に取り付けたロール芯保持機構２６に対し、ペーパー支持部２を取り付けた第1保持器側板１６aの上方側板Ｂ端面３３は、上方側板Ｂ端面３３とトイレットペーパーロール２５の最大径の上部が、相互に２ｃｍから３ｃｍほどの離隔した空間（空隙）を有するようにする。
【００３４】
図５は、第1保持器側板１６a及び第２保持器側板１６bの前方の側板端面１７にペーパーガイド部３とペーパー支持部２を取り付けた別の実施形態に係るトイレットペーパーロール保持器を示す図である。前方の側面端面１７はペーパー切り取り人力操作のアクセス機能性を高めるため鉛直方向から１０度から３０度ほどの傾き角度を確保し、ペーパーガイド部３とペーパー支持部２は第1保持器側板１６aと第２保持器側板１６bに両端部が両持で取り付けられる。
【００３５】
図５に示したトイレットペーパーロール保持器では、第1保持器側板１６a及び第２保持器側板１６bの前方の側板端面１７に、ペーパーガイド部３とペーパー支持部２とが両持で取り付けられている。保持器側板１６（１６a、１６b）の下方から、ロール芯保持機構２６へトイレットペーパーロール２５を装着する。トイレットペーパーロール２５からペーパーガイド部３を経てペーパー支持部２へペーパーを引き出すため、トイレットペーパーロール２５の最大径でトイレットペーパーロール２５と側板端面１７の間に、例えば１ｃｍから２ｃｍほどの空間を設ける。トイレットペーパーロール保持器１の大きさとの兼ね合いで、トイレットペーパーロール２５の着脱に必要な空間を確保する。
【００３６】
ペーパー切り取りエッジ部１２は、上面蓋５の先端部にある場合と、上面蓋５の先端部の剛性蓋部１１に折曲部１０を設け、折曲部１０の端部にある場合と、上面蓋５に上面固定部７と上面回転部８を設け上面回転部接続部材９でＡｘ２軸に対して開閉可能とした上面回転部８にある場合、がある。さらに、上面蓋５と別途に第１保持器側板１６aまたは第２保持器側板１６bに切り取り板回転部１４を設け、切り取り板接続部材１５にＡｘ３軸に対して開閉可能に取り付けられる場合がある
【００３７】
トイレットペーパーロール２５からペーパーを引き出して切り取る際に、従来のトイレットペーパーの保持器では、ペーパーロール面２２に手が触れてしまう。また市販のシングルトイレットペーパーの滑らかなペーパー表面２０の使用という観点では、従来のトイレットペーパーの保持器はペーパー表裏の選択使用の便宜においては、柔軟性に欠けている側面があった。図１はトイレットペーパーロール保持器１にペーパーガイド部３とペーパー支持部２を追加し、１８０度回転したトイレットペーパーロール２５からペーパーロール面２２が引き出されている。引き出されたペーパーはペーパーガイド部３を経てペーパー支持部２の上に支持されている。
【００３８】
ペーパー支持部２は第1保持器側板１６aの上方側板Ｂ端面３３に水平方向に対して５度から２０度ほど傾斜角を持たせる構成、或いは保持器側板１６（１６a、１６b）の前方の側板端面１７に鉛直方向から１０度から３０度ほどの傾き角度で設置する構成がある。ペーパーガイド部３はペーパー支持部２の近傍または一体化されている。ペーパーガイド部３からペーパー支持部２に沿って引き出されたペーパーを介して、ペーパー支持部２とペーパー支持部２に対向するペーパー切り取りエッジ部１２は手動の押圧で相互に挟み込み係合し、挟まれたペーパーは膠着状態で押し切られる。
【００３９】
切り取り後に、トイレットペーパーロール２５の側に残留したペーパーロール引き出し部１３は、ペーパー支持部２の上面に残留した状態であり、ペーパーロール面２２から空間的に隔離された状態で次の使用時に引き出すことができる。
【００４０】
引き出されるペーパーは、トイレットペーパーロール保持器１への装着で、通常装着か図１に示すように水平１８０度回転の逆装着でペーパー引き出し方向が変わるが、ペーパーガイド９の追加で水平１８０度回転或いは非回転いずれのペーパー引き出し方向でもペーパー支持板２に装着できる。
【００４１】
図１５(a)はペーパーループ２３による尺取り方法の説明である。トイレットペーパーロール２５からペーパーを切り取る場合に、ペーパー切り取りエッジ部１２でペーパーの上面がペーパー裏面２１なら、ペーパーループ２３や図１５(e)の多重重ねペーパーループ２４は使用面がイレットペーパーロール２５のペーパー上面になる。通常、市販のシングルトイレットペーパーのペーパー上面はペーパー表面２０である。ペーパー切り取りエッジ部１２でペーパーの上面がペーパー裏面２１にするには、トイレットペーパーロール保持器１へのトイレットペーパーロール２５の装着は通常装着ではなく水平１８０度回転の逆装着にしてペーパーガイド部３でペーパーの引き出し方向を変えペーパー切り取りエッジ部１２でペーパーの上面がペーパー裏面２１となるように反転させる。
【００４２】
ペーパーガイド部３とペーパー支持部２の追加でペーパーロール引き出し部１３をトイレットペーパーロール２５のペーパーロール面２２から空間的に隔離し、また同時にペーパーの引き出し方向の反転もできる。
【００４３】
図１３と図１４は、ペーパーガイド部３とペーパー支持部２からなるペーパー支持構造体４を備えたトイレットペーパーロール保持器を説明するための図である。ペーパー支持構造体４がトイレットペーパーロール保持器１の壁面取り付け部１９の上方端面にある上面蓋接続部材６でＡｘ１軸に対して開閉する。このため、上面蓋５と共にペーパー支持構造体４はペーパーロール面２２の径の減少に追従する。一方で、図１、図５及び図１０などで説明した実施形態では、ペーパーガイド部３とペーパー支持部２をトイレットペーパーロール保持器１の第1保持器側板１６aと第２保持器側板１６bのいずれか一方または両方に板面に交差する方向に固定的に取り付け、従ってペーパーロール面２２のロール径の減少変化に無関係にできる。
【００４４】
上面蓋５と共に上面蓋接続部材６でＡｘ１軸に対して開閉する図１３や図１４のペーパー支持構造体４の構成では、ペーパーロール面２２に突起部２８を介して接触状態で開閉する。従って、ペーパー支持構造体４を構成するペーパーガイド部３とペーパー支持部２が上面板３０を介して上面蓋５と一緒に開閉する。図１３ではペーパー支持部２と係合ペーパーストッパー３１を介したペーパー切り取りエッジ部１２との相互離間により、ペーパー切り取りエッジ部１２で切り取られたペーパーロール引き出し部１３は、２から３ｃｍ程度垂れ下がる。図１４では、ペーパー支持構造体４のうちでペーパー支持部２のみが上面蓋５に対しペーパー支持部接続部材２９でＡｘ６軸に対し開閉する。従って、上面蓋５と独立してペーパーロール面２２に突起部２８を介して接触した状態で追従変化する。この図１４では、ペーパーロール引き出し部１３はペーパー支持部２の上面にあり、ペーパーロール面２２から離れ、更に引き出しのための開口を大きく確保できることが示されている。
【００４５】
トイレットペーパーロール保持器１の保持器側板１６（１６a、１６b）の一方または両方の板面に交差してペーパーガイド部３とペーパー支持部２は取り付けられる。図１ではトイレットペーパーロール保持器１の第1保持器側板１６aの上方の上方側板B端面３３に水平方向に対して５度から２０度ほど傾斜角をもって設置され、また図５ではトイレットペーパーロール保持器１の保持器側板１６（１６a、１６b）の前方の側板端面１７に鉛直方向から１０度から３０度ほどの傾き角度で設置される。
【００４６】
図１は、トイレットペーパーロール保持器１の第1保持器側板１６aの上方の上方側板Ｂ端面３３に水平方向に対して５度から２０度ほど傾斜角をもってペーパー支持部２を設置し、ペーパー支持部２が第1保持器側板１６aに片持ちとなる場合を示す。トイレットペーパーロール２５はトイレットペーパーロール保持器１の右から装着され、引き出されたペーパーはペーパー支持部２に近接又は一体化したペーパーガイド部３に導かれる構成である。
【００４７】
図５，図６，図７，図８，図９，及び図１０では、トイレットペーパーロール保持器１の保持器側板１６（１６a、１６b）の前方の側板端面１７に鉛直方向から１０度から３０度ほどの傾き角度でペーパー支持部２を取り付ける。側板端面１７に取り付けたペーパー支持部２の取り付けは、トイレットペーパーロール２５が最大径で、ペーパー支持部２とトイレットペーパーロール２５が接触しないように、ペーパー支持部２とトイレットペーパーロール２５の傾斜角と離間する距離を相互に確保する。
【００４８】
ペーパーの切り取りは、ペーパー支持部２へのペーパー切り取りエッジ部１２の人力による挟み込み係合で行う。ペーパーを引き出す際は、ペーパー切り取りエッジ部１２は人力で上方に持ち上げられる。人力による押圧、ないしは人力による上方持ち上げを行わない状態では、これを静止位置としてペーパー切り取りエッジ部１２をペーパー支持部２から若干上方に浮かせることで、ペーパーの効率的な引き出しができる。
【００４９】
図１３、図１４、及び図１６はペーパー切り取りエッジ部１２を上面蓋５の端部に設定する場合である。図１は上面蓋５に上面回転部接続部材９でＡｘ２軸に対し開閉可能に上面回転部８を設けペーパー切り取りエッジ部１２を設置する場合である。図５、図６、図９は柔軟性のある折曲部１０でペーパー切り取りエッジ部１２を上面蓋５が延伸する方向と交差する方向に延伸して移動可能に設置する場合である。ここでは、折曲部１０に代えて上面回転部接続部材９でＡｘ２軸に対し開閉する上面回転部８による構成にすることもできる。さらに図１０、図１２は上面蓋５と独立して、別途に切り取り板接続部材１５でＡｘ３軸に対して開閉可能にした切り取り板回転部１４に、ペーパー切り取りエッジ部１２を設置する場合である。この上面蓋５に独立に設置する場合は、上面蓋５はトイレットペーパーロール２５の装着と取り出し時に自動で自然に回転する開閉状態となる。
【００５０】
上面蓋５はトイレットペーパーロール保持器１の壁面取り付け部１９の上面蓋接続部材６でＡｘ１軸に対して開閉可能に設置する場合と、第1保持器側板１６aか第２保持器側板１６bに保持器側板接続部材１８（１８a、１８b）でＡｘ４軸、Ａｘ５軸に開閉可能に設置する場合があり、トイレットペーパーロール２５のトイレットペーパーロール保持器１への装着において、状況に合わせより良い開閉方式が選択される。
【００５１】
ペーパー切り取りエッジ部１２とペーパー支持部２は相互の係合でペーパーを両側から挟み切り取ることができる。そのため十分な強度で滑り無くペーパー支持部２の上面にペーパーを固定し切り取ることができる。さらに、強度の係合に資するよう嵌合溝２７を設けることもできる。図１７はペーパー切り取りエッジ部１２とペーパー支持部２の先端に設けた各種の強度な挟み込み係合構造である。
【実施例１】
【００５２】
図１及び図２に、実施例1に係るトイレットペーパーロール保持器を示す。図１及び図２において、ペーパー支持部２を第1保持器側板１６aの上方の上方側板Ｂ端面３３に水平方向に対して５度から２０度ほど傾斜角を持たせ設置した実施例である。ペーパーガイド部３をペーパー支持部２にペーパーをガイドし易い近傍に第1保持器側板１６aに交差して取り付け、さらにトイレットペーパーロール保持器１の上面蓋５を上面固定部７と上面回転部８で構成し、上面回転部接続部材９でＡｘ２軸に対して上面回転部８を上面固定部７から開閉可能とした。上面固定部７を上方側板Ａ端面３２に、回転機構を有する第1保持器側板接続部材１８aでＡｘ４軸に対し開閉可能に取り付けた。こうして、ペーパーロール面２２から引き出されたペーパーの端部をペーパーガイド部３からペーパー支持部２に沿って引き出し、ペーパーの通過とペーパー支持部２に於ける支持をする構成である。
【００５３】
ペーパーロール面２２のペーパーの端部は、ペーパーガイド部３に沿ってペーパー支持部２の上面でペーパー引き出しの上流部から下流部を経てペーパー支持部２に引き出される。ペーパー支持部２の上面に支持されたペーパーは、上面回転部接続部材９でＡｘ２軸に対し人力による押圧で開閉する上面回転部８に設けられたペーパー切り取りエッジ部１２と対向するペーパー支持部２に挟み込まれて、切り取られる。
【００５４】
図１は上面回転部接続部材９でＡｘ２軸に対し上面回転部８を人力で上方に持ち上げて、ペーパー支持部２に残留したペーパーロール引き出し部１３へのアクセスを容易にした図であり、図２は切り取りでペーパー切り取りエッジ部１２と対向するペーパー支持部２が挟み込み係合した状態を示している。
【００５５】
上面固定部７は水平方向に対して５度から２０度ほど傾斜角を持たせ第1保持器側板１６aの上方側板Ａ端面３２に第1保持器側板接続部材１８aでＡｘ４軸に対し開閉可能に取り付けられる。従って、上面蓋５を構成する、上面固定部７と上面回転部８はともに図１の斜視図である図４のように開閉し、ペーパー支持部２へのペーパー装着を容易とする。
【００５６】
こうした効果により、次にペーパーを引き出すときは、上面回転部接続部材９でＡｘ２軸に対し上面回転部８を人力により上方に引き上げることで、ペーパーロール面２２に手を触れさせることなく、ペーパー支持部２の上面に残留するペーパーロール引き出し部１３を手でつまむことでペーパーの引き出しができる。
【００５７】
上面回転部８のペーパー切り取りエッジ部１２は通常はペーパー支持部２にペーパーを介して接触することのないように若干上方の静止位置に設定される。このため、ペーパー切り取りエッジ部１２とペーパー支持部２は挟み込みから解放されていて、ペーパーの引き出しに支障をきたすことはない。
【００５８】
図１及び図２は、ペーパーに接触してペーパーをガイドするペーパーガイド部３を曲面で構成し、ペーパーとの接触摩擦を小さくするように配慮した実施例であり、ペーパーに接触するペーパーガイド部３はペーパーの流れに直交して設けられた回転軸に取り付けられたローラーにより、さらに摩擦抵抗の軽減を図ることもできる。
【００５９】
図２は、上面回転部接続部材９でＡｘ２軸に対し上面回転部８に人力が付勢され、上面回転部８に取り付けたペーパー切り取りエッジ部１２がペーパー支持部２と係合しペーパーの切り取りを可能とする状態を示す。押圧による係合では図17の各種の挟み込み係合方法が利用できる。
【００６０】
図１，及び図２は、上面回転部８と上面固定部７はトイレットペーパーロール保持器１の第1保持器側板１６aの上方側板A端面３２に第1保持器側板接続部材１８aでＡｘ４軸に対し開閉可能に取り付けられていて、ペーパーの取り込みをトイレットペーパーロール保持器１の右側から可能とする実施例である。
【００６１】
図３及び図４は、通常の使用状況に準じたトイレットペーパーロール２５の装着である。図１及び図２は、トイレットペーパーロール２５を水平に１８０度回転した場合の装着例である。
【００６２】
図１及び図２は、ペーパーロール面２２がペーパー切り取りエッジ部１２で切り取とられる場合で、トイレットペーパーロール２５のペーパー裏面２１が上面である。従って、尺取り状にペーパーを引き出すと尺取りのペーパーループ２３の表面は、トイレットペーパーロール２５のペーパーロール面２２となる。通常市販のシングルのトイレットペーパーロール２５のペーパーロール面２２はペーパー表面２０であり、尺取りのペーパーループ２３の表面を使い勝手のよいペーパー表面２０とすることができる。
【実施例２】
【００６３】
図１６に、実施例２に係るトイレットペーパーロール保持器を示す。実施例１と同様の構成である。片持ち構成のステンレス製実施例である。トイレットペーパーのロール芯保持機構２６を略L字型の形状とすることもできる。トイレットペーパーロール２５を水平に保つための略L字型の垂直方向部分の端部を、ペーパー支持部２の第１保持器側板１６aに交差する方向でその両側の端部のいずれかに取り付ける。或いは、取り付け位置がペーパー支持部２の取り付け位置と同様な高さまで短縮化が可能な第１保持器側板１６aの下方端面か、または、第１保持器側板１６aのペーパー支持部２の取り付け位置と対向する外部側面に取り付ける。
【００６４】
上面蓋５は、トイレットペーパーロール保持器１の壁面取り付け部１９の上方端面において、上面蓋接続部材６でＡｘ１軸に対して開閉可能にした。上面蓋５の先端であり、上面蓋５の上面蓋接続部材６に対向し第1保持器側板１６aの前方に位置する端部に、ペーパー切り取りエッジ部１２を設けた。ペーパー切り取りエッジ部１２と対向するペーパー支持部２は、人力による押圧で相互に挟み込み、ペーパーを切り取りとる。トイレットペーパーロール２５の側に残されたペーパーはペーパー支持部２に残留し、ペーパーロール引き出し部１３として、ペーパーロール面２２から分離される、従って、次に引き出す際にペーパーロール面２２に非接触で引き出しが可能となる。
【実施例３】
【００６５】
図５及び図６に、実施例３に係るトイレットペーパーロール保持器を示す。図５及び図６に示すように、トイレットペーパーロール保持器は、トイレットペーパーロール保持器１の上面蓋５と、上面蓋５の端部に一体化された剛性蓋部１１と剛性蓋部１１に接続する人力で移動可能な折曲部１０と、折曲部１０の先端部分に設けたペーパー切り取りエッジ部１２を備える。さらに、トイレットペーパーロール保持器１の保持器側板１６（１６a、１６b）の前方にある側板端面１７にペーパー支持部２とペーパーガイド部３を備える。ペーパーをペーパー支持部２と折曲部１０の先端部分でペーパー支持部２と対向する位置に移動したペーパー切り取りエッジ部１２が、係合しペーパーを挟み込み切り取る際に、このペーパー切り取りにおいて、人力操作のアクセス機能性を高めるため、ペーパー支持部２とペーパーガイド部３を鉛直方向から１０度から３０度ほどの傾き角度を確保して側板端面１７に取り付けるように構成する。
【００６６】
ペーパーロール面２２から引き出されたペーパーはペーパーガイド部３に沿ってさらに引き出され、ペーパーロール引き出し部１３としてペーパー支持部２に支持される。人力の付勢により折曲部１０の先端部分に設けたペーパー切り取りエッジ部１２が移動し、ペーパー支持部２の上面に支持されたペーパーロール引き出し部１３は、ペーパー支持部２の上面で押圧によるペーパー支持部２との挟み込み状態で切り取られる。
【００６７】
図５は切り取りでペーパー切り取りエッジ部１２と対向するペーパー支持部２が人力の付勢により係合した状態を示し、図８はその斜視図である。
【００６８】
図６は、切り取り後に折曲部１０の先端部分に設けたペーパー切り取りエッジ部１２は折曲部１０で人力が取り去られ、従って、係合から解放された状態を示す。図７はこの解放状態から、さらにトイレットペーパーロール保持器１の上面蓋接続部材６でＡｘ１軸に対し開閉可能に取り付けされた上面蓋５が、人力で上方に持ち上げられて、さらに開いた状態を示す斜視図である。ペーパー支持部２に残留したペーパーロール引き出し部１３へのアクセスが容易になる。
【００６９】
さらに、図７は、トイレットペーパーロール保持器１の上面蓋接続部材６でＡｘ１軸に対し開閉可能に取り付けされた上面蓋５が人力で上方に開き、ペーパーガイド部３からペーパー支持部２へのペーパー装着を容易とし、また、トイレットペーパーロール保持器１の下方からトイレットペーパーロール２５を装着する際に大いに便宜を与える状況を示す図である。
【００７０】
こうした効果により、次にペーパーを引き出すときは、折曲部１０を人力により上方に引き上げることで、ペーパーロール面２２に手を触れさせることなく、ペーパー支持部２に残留するペーパーロール引き出し部１３を手でつまむことでペーパーの引き出しができる。
【００７１】
折曲部１０とペーパー切り取りエッジ部１２は、通常はペーパー支持部２に接触することのないように上方の静止位置に設定できる。従って、ペーパーの引き出しに支障をきたすことはない。
【００７２】
図５及び図６では、ペーパーに接触するペーパーガイド部３を曲面とし、ペーパーとの接触摩擦を小さくするように配慮された実施をしめした。ペーパーに接触するペーパーガイド部３はペーパーの流れに直交して設けた回転軸に取付けられたローラーによりさらに摩擦抵抗の軽減を図ることもできる。
【００７３】
図５は、折曲部１０に人力が付勢され、ペーパー切り取りエッジ部１２と対向するペーパー支持部２が押圧で挟み込み係合しペーパーの切り取りを可能とする状態である。
【００７４】
この実施例では、上面蓋５はトイレットペーパーロール保持器１の壁面取り付け部１９の上方端面に上面蓋接続部材６でＡｘ１軸に対し開閉可能に取り付けて、トイレットペーパーロール２５のトイレットペーパーロール保持器１の下方からの装着を可能とする。
【００７５】
トイレットペーパーロール２５はトイレットペーパーロール保持器１の下方から装着し、トイレットペーパーロール保持器１の第1保持器側板１６aと第２保持器側板１６bにそれぞれ設けられたロール芯固定機構２６によりロール芯を保持する機構である。この構成によりペーパー支持部２へのペーパーの装着を容易とし、さらにトイレットペーパーロール２５の上方への取り出しも可能となっている
【００７６】
図５、図６及び図１０では、トイレットペーパーロール２５は通常の使用状況に準じた装着であり、図９では、トイレットペーパーロール２５はロールを横方向に１８０度回転した装着例である。
【００７７】
図９では、市販のシングルトイレットペーパーのロールはペーパーロール面２２がペーパー切り取りエッジ部１２でトイレットペーパーロール２５の裏面を上面とすることができる。図１５に示すように尺取り状にペーパーを引き出すと、尺取りのペーパーループ２３の表面は使用に快適なペーパーの表面とすることができる。
【実施例４】
【００７８】
図１２は、実施例４に係るトイレットペーパーロール保持器を示す図である。図１２において、トイレットペーパーロール保持器１にある上面蓋５は、壁面取り付け部１９の上方端面にある上面蓋接続部材６でＡｘ１軸に対して開閉可能に取り付けられている。従って、トイレットペーパーロール２５のトイレットペーパーロール保持器１の下方からの装着とからの上方への取り出しを可能としている。トイレットペーパーロール保持器１として一体化モールド形成された第1保持器側板１６a、第２保持器側板１６bの前方に切り取り板接続部材１５を設け、切り取り板接続部材１５でＡｘ３軸に対して切り取り板回転部１４を回転可能に設置した。切り取り板回転部１４に取り付けたペーパー切り取りエッジ部１２は人力で開閉する。切り取り板回転部１４に取り付けられたペーパー切り取りエッジ部１２と対向するペーパー支持部２は人力による押圧で挟み込み係合によりペーパーを切り取る。
【００７９】
トイレットペーパーロール保持器１の下方からトイレットペーパーロール２５を装着する場合は上面蓋５のみが上方に開き装着と取り出しを可能とする。ペーパー支持部２にペーパーを装着する場合には切り取り板接続部材１５でＡｘ３軸に対して開閉可能に取り付けた切り取り板回転部１４と切り取り板回転部１４に取り付けられたペーパー切り取りエッジ部１２を、前方斜め方向に人力で持ち上げることでペーパー装着を容易にした。
【００８０】
図１１は、ペーパーガイド部３とペーパー支持部２を含めてモールド一体化形成したトイレットペーパーロール保持器１である。図１２は、モールド一体化したトイレットペーパーロール保持器１の壁面取り付け部１９の上方端面に取り付けた上面蓋接続部材６でＡｘ１軸に対して開閉可能に取り付けた上面蓋５、並びに切り取り板接続部材１５でＡｘ３軸に対して開閉可能に取り付けた切り取り板回転部１４と切り取り板回転部１４に取り付けたペーパー切り取りエッジ部１２が開いた状態を示している。
【産業上の利用可能性】
【００８１】
トイレットペーパーの適量を切り取った後に、トイレットペーパーロールの側に残留したトイレットペーパーの端部はロール面に張り付き、トイレットペーパーを新たに引き出す際に衛生的に問題があった。公共の施設、特に病院などでは感染予防の観点で問題が指摘されてきた。この発明により、再度の取り出しに必要な紙片をトイレットペーパーロールから空間的に離して残すことができ、再度の引き出しで感染症など衛生上の問題が回避され、さらに市販のいかなるロールでもより使い勝手のよいペーパー表面の使用を促進できる。
【符号の説明】
【００８２】
１    トイレットペーパーロール保持器
２    ペーパー支持部
３    ペーパーガイド部
４    ペーパー支持構造体
５    上面蓋
６    上面蓋接続部材  
７    上面固定部
８    上面回転部
９    上面回転部接続部材  
１０  折曲部
１１  剛性蓋部
１２  ペーパー切り取りエッジ部
１３  ペーパーロール引き出し部
１４  切り取り板回転部
１５  切り取り板接続部材  
１６  保持器側板
１６a  第1保持器側板
１６b  第2保持器側板
１７  側板端面
１８  保持器側板接続部材
１８a  第1保持器側板接続部材  
１８b  第2保持器側板接続部材  
１９  壁面取り付け部
２０  ペーパー表面
２１  ペーパー裏面
２２  ペーパーロール面
２３  ペーパーループ
２４  多重重ねペーパーループ
２５  トイレットペーパーロール
２６  ロール芯保持機構
２７  嵌合溝
２８  突起部
２９  ペーパー支持部接続部材  
３０  上面板
３１  ペーパー支持部係合ペーパーストッパー
３２  上方側板Ａ端面
３３  上方側板Ｂ端面
【図１】
2020185362.tif 000003
【図２】
2020185362.tif 000004
【図３】
2020185362.tif 000005
【図４】
2020185362.tif 000006
【図５】
2020185362.tif 000007
【図６】
2020185362.tif 000008
【図７】
2020185362.tif 000009
【図８】
2020185362.tif 000010
【図９】
2020185362.tif 000011
【図１０】
2020185362.tif 000012
【図１１】
2020185362.tif 000013
【図１２】
2020185362.tif 000014
【図１３】
2020185362.tif 000015
【図１４】
2020185362.tif 000016
【図１５】
2020185362.tif 000017
【図１６】
2020185362.tif 000018
【図１７】
2020185362.tif 000019
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
壁面取り付け部と、
前記壁面取り付け部に取り付けられた第1保持器側板と、
前記第１保持器側板に取り付けられ、トイレットペーパーロールから引き出されたトイレットペーパーをガイドし、前記第1保持器側板に交差する方向に延伸している棒状のペーパーガイド部と、
前記ペーパーガイド部に近接して設けられると共に、前記第１保持器側板に交差する方向に延伸し固定され、略平坦の上面を有する板状のペーパー支持部と、
前記トイレットペーパーロールの芯を保持するためのロール芯保持機構と、
先端部にペーパー切り取りエッジ部を有する上面蓋と、を備え、
前記ペーパーガイド部は、前記ロール芯保持機構の前記芯に対して前記壁面取り付け部側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、水平に対して所定の角度を有すると共に、前記ペーパーガイド部を介してガイドされた前記トイレットペーパーを前記上面上に載置し、
前記ロール芯保持機構は、略Ｌ字形状であり、その一端が前記ペーパー支持部の一方の端部に取り付けられており、
前記ペーパー切り取りエッジ部は、前記ペーパー支持部に対向して配置されており、前記ペーパー切り取りエッジ部と前記ペーパー支持部とで前記トイレットペーパーを挟んで切り取り、前記トイレットペーパーが前記上面上に残留し、前記トイレットペーパーロールから分離するように構成したことを特徴とするトイレットペーパーロール保持器。
【請求項２】
前記ペーパー支持部が水平方向に対して成す前記角度は、５度から２０度であり、
前記ペーパー支持部は、前記ペーパーガイド部と反対側の端部に、所定の摩擦係数を有する表面部を有することを特徴とする請求項１に記載のトイレットペーパーロール保持器。
【請求項３】
前記ペーパー支持部は、前記第1保持器側板の下方端部又は下方側面に取り付けられることを特徴とする請求項１又は請求項２に記載のトイレットペーパーロール保持器。
【請求項４】
壁面取り付け部と、
前記壁面取り付け部に取り付けられた第１保持器側板と、
前記第１保持器側板に対向して設けられ前記壁面取り付け部に取り付けられた第２保持器側板と、
トイレットペーパーロールの芯を保持するためのロール芯保持機構と、
前記第１保持器側板及び前記第２保持器側板に取り付けられ、前記トイレットペーパーロールから引き出されたトイレットペーパーをガイドし、前記第1保持器側板と前記第２保持器側板に交差する方向に延伸している棒状のペーパーガイド部と、
前記ペーパーガイド部に近接して設けられると共に、前記第１保持器側板と前記第２保持器側板に交差する方向に延伸して固定され、略平坦な上面を有する板状のペーパー支持部と、
略平坦な上面を有する板状の形状である上面蓋と、を備え、
前記ロール芯保持機構の一端は、前記第１保持器側板に取り付けられ、前記ロール芯保持機構の他端は、前記第２保持器側板に取り付けられており、
前記ペーパーガイド部は、前記ロール芯保持機構の前記芯に対して前記壁面取り付け部に対向する前記第１及び第２保持器側板の側板端面側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、鉛直方向に対して所定の角度を有すると共に、前記ペーパーガイド部を介してガイドされた前記トイレットペーパーを前記上面上に載置し、
前記上面蓋は、当該上面蓋の端部に、弾性で回動し、前記ペーパー支持部の前記上面上に並行する折曲部を有し、
前記ペーパー切り取りエッジ部は、前記上面蓋の前記折曲部に接続され、前記ペーパー支持部に対向して配置され、前記ペーパー切り取りエッジ部と前記ペーパー支持部とで前記トイレットペーパーを挟んで切り取り、前記ペーパー支持部の前記上面に前記トイレットペーパーを残留させ、前記トイレットペーパーロールから分離するように構成したことを特徴とするトイレットペーパーロール保持器。
【請求項５】
壁面取り付け部と、
前記壁面取り付け部に取り付けられた第1保持器側板と、
前記第１保持器側板に対向して設けられ前記壁面取り付け部に取り付けられた第２保持器側板と、
トイレットペーパーロールの芯を保持するためのロール芯保持機構と、
前記第１保持器側板及び第２保持器側板に取り付けられ、前記トイレットペーパーロールから引き出されたトイレットペーパーをガイドし、前記第1保持器側板と前記第２保持器側板に交差する方向に延伸している棒状のペーパーガイド部と、
前記ペーパーガイド部に近接して設けられると共に、前記第１保持器側板と前記第２保持器側板に交差する方向に延伸して固定され、略平坦な上面を有する板状のペーパー支持部と、
前記ペーパー支持部の前記上面に並行して設けられると共に、前記第1又は第２保持器側板の側板端面に回動可能に取り付けた切り取り板回転部に設けられたペーパー切り取りエッジ部と、を備え、
前記ロール芯保持機構の一端は、前記第１保持器側板に取り付けられ、前記ロール芯保持機構の他端は、前記第２保持器側板に取り付けられており、
前記ペーパーガイド部は、前記ロール芯保持機構の前記芯に対して前記壁面取り付け部に対向する前記第1及び第2保持器側板の前記側板端面側に配置され、記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、鉛直方向に対して所定の角度を有すると共に、前記ペーパーガイド部を介してガイドされた前記トイレットペーパーを前記上面上に載置し、
前記壁面取り付け部、前記第1保持器側板、前記第２保持器側板、前記ペーパーガイド部、及び前記ペーパー支持部は一体に形成されており、
前記ペーパー支持部は、前記ペーパーガイド部を介してガイドされた前記トイレットペーパーを前記上面上に支持し、
前記ペーパー切り取りエッジ部は、回動により前記ペーパー支持部に対向し、前記ペーパー切り取りエッジ部と前記ペーパー支持部とで前記トイレットペーパーを挟んで切り取り、前記ペーパー支持部の前記上面に前記トイレットペーパーを残留させ、前記トイレットペーパーロールから分離するように構成したことを特徴とするトイレットペーパーロール保持器。
【請求項６】
前記ペーパー支持部が鉛直方向に対し成す前記角度は、１０度から３０度であることを特徴とする請求項４又は請求項５に記載のトイレットペーパーロール保持器。
【請求項７】
前記ペーパー支持部の前記上面に前記ペーパー切り取りエッジ部を嵌合する嵌合溝を有することを特徴とする請求項１から６のいずれか一項に記載のトイレットペーパーロール保持器。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
壁面取り付け部と、
前記壁面取り付け部に取り付けられた第1保持器側板と、
前記第１保持器側板に取り付けられ、トイレットペーパーロールから引き出されたトイレットペーパーをガイドし、前記第1保持器側板に交差する方向に延伸している棒状のペーパーガイド部と、
前記ペーパーガイド部に近接して設けられると共に、前記第１保持器側板に交差する方向に延伸し固定され、略平坦の上面を有する板状のペーパー支持部と、
前記トイレットペーパーロールの芯を保持するためのロール芯保持機構と、
先端部にペーパー切り取りエッジ部を有する上面蓋と、を備え、
前記ペーパーガイド部は、前記ロール芯保持機構の前記芯に対して前記壁面取り付け部側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、水平に対して所定の角度を有すると共に、前記ペーパーガイド部を介してガイドされた前記トイレットペーパーを前記上面上に載置し、
前記ロール芯保持機構は、略Ｌ字形状であり、その一端が前記ペーパー支持部の一方の端部に取り付けられており、
前記ペーパー切り取りエッジ部は、前記ペーパー支持部に対向して配置されており、前記ペーパー切り取りエッジ部と前記ペーパー支持部とで前記トイレットペーパーを挟んで切り取り、前記トイレットペーパーが前記上面上に残留し、前記トイレットペーパーロールから分離するように構成されており、
前記ペーパー支持部が水平方向に対して成す前記角度は、５度から２０度であり、
前記ペーパー支持部は、前記ペーパーガイド部と反対側の端部に、所定の摩擦係数を有する表面部を有することを特徴とするトイレットペーパーロール保持器。
【請求項２】
前記ペーパー支持部は、前記第1保持器側板の下方端部又は下方側面に取り付けられることを特徴とする請求項１に記載のトイレットペーパーロール保持器。
【請求項３】
壁面取り付け部と、
前記壁面取り付け部に取り付けられた第1保持器側板と、
前記第１保持器側板に取り付けられ、トイレットペーパーロールから引き出されたトイレットペーパーをガイドし、前記第1保持器側板に交差する方向に延伸している棒状のペーパーガイド部と、
前記ペーパーガイド部に近接して設けられると共に、前記第１保持器側板に交差する方向に延伸し固定され、略平坦の上面を有する板状のペーパー支持部と、
前記トイレットペーパーロールの芯を保持するためのロール芯保持機構と、
先端部にペーパー切り取りエッジ部を有する上面蓋と、を備え、
前記ペーパーガイド部は、前記ロール芯保持機構の前記芯に対して前記壁面取り付け部側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、水平に対して所定の角度を有すると共に、前記ペーパーガイド部を介してガイドされた前記トイレットペーパーを前記上面上に載置し、
前記ロール芯保持機構は、略Ｌ字形状であり、その一端が前記ペーパー支持部の一方の端部に取り付けられており、
前記ペーパー切り取りエッジ部は、前記ペーパー支持部に対向して配置されており、前記ペーパー切り取りエッジ部と前記ペーパー支持部とで前記トイレットペーパーを挟んで切り取り、前記トイレットペーパーが前記上面上に残留し、前記トイレットペーパーロールから分離するように構成されており、
前記ペーパー支持部は、前記第1保持器側板の下方端部又は下方側面に取り付けられることを特徴とするトイレットペーパーロール保持器。
【請求項４】
壁面取り付け部と、
前記壁面取り付け部に取り付けられた第１保持器側板と、
前記第１保持器側板に対向して設けられ前記壁面取り付け部に取り付けられた第２保持器側板と、
トイレットペーパーロールの芯を保持するためのロール芯保持機構と、
前記第１保持器側板及び前記第２保持器側板に取り付けられ、前記トイレットペーパーロールから引き出されたトイレットペーパーをガイドし、前記第1保持器側板と前記第２保持器側板に交差する方向に延伸している棒状のペーパーガイド部と、
前記ペーパーガイド部に近接して設けられると共に、前記第１保持器側板と前記第２保持器側板に交差する方向に延伸して固定され、略平坦な上面を有する板状のペーパー支持部と、
略平坦な上面を有する板状の形状である上面蓋と、を備え、
前記ロール芯保持機構の一端は、前記第１保持器側板に取り付けられ、前記ロール芯保持機構の他端は、前記第２保持器側板に取り付けられており、
前記ペーパーガイド部は、前記ロール芯保持機構の前記芯に対して前記壁面取り付け部に対向する前記第１及び第２保持器側板の側板端面側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、鉛直方向に対して所定の角度を有すると共に、前記ペーパーガイド部を介してガイドされた前記トイレットペーパーを前記上面上に載置し、
前記上面蓋の端部に、弾性で回動し、前記ペーパー支持部の前記上面上に並行する折曲部を有し、
前記上面蓋の前記折曲部には、ペーパー切り取りエッジ部が接続されており、前記ペーパー支持部に対向して配置され、前記ペーパー切り取りエッジ部と前記ペーパー支持部とで前記トイレットペーパーを挟んで切り取り、前記ペーパー支持部の前記上面に前記トイレットペーパーを残留させ、前記トイレットペーパーロールから分離するように構成したことを特徴とするトイレットペーパーロール保持器。
【請求項５】
壁面取り付け部と、
前記壁面取り付け部に取り付けられた第1保持器側板と、
前記第１保持器側板に対向して設けられ前記壁面取り付け部に取り付けられた第２保持器側板と、
トイレットペーパーロールの芯を保持するためのロール芯保持機構と、
前記第１保持器側板及び第２保持器側板に取り付けられ、前記トイレットペーパーロールから引き出されたトイレットペーパーをガイドし、前記第1保持器側板と前記第２保持器側板に交差する方向に延伸している棒状のペーパーガイド部と、
前記ペーパーガイド部に近接して設けられると共に、前記第１保持器側板と前記第２保持器側板に交差する方向に延伸して固定され、略平坦な上面を有する板状のペーパー支持部と、
前記ペーパー支持部の前記上面に並行して設けられると共に、前記第1又は第２保持器側板の側板端面に回動可能に取り付けた切り取り板回転部に設けられたペーパー切り取りエッジ部と、を備え、
前記ロール芯保持機構の一端は、前記第１保持器側板に取り付けられ、前記ロール芯保持機構の他端は、前記第２保持器側板に取り付けられており、
前記ペーパーガイド部は、前記ロール芯保持機構の前記芯に対して前記壁面取り付け部に対向する前記第1及び第2保持器側板の前記側板端面側に配置され、前記トイレットペーパーロールから引き出された前記トイレットペーパーの方向を反転するための空隙を有し、反転された前記トイレットペーパーを前記ペーパー支持部の前記上面上へガイドするように設けられており、
前記ペーパー支持部は、鉛直方向に対して所定の角度を有すると共に、前記ペーパーガイド部を介してガイドされた前記トイレットペーパーを前記上面上に載置し、
前記壁面取り付け部、前記第1保持器側板、前記第２保持器側板、前記ペーパーガイド部、及び前記ペーパー支持部は一体に形成されており、
前記ペーパー支持部は、前記ペーパーガイド部を介してガイドされた前記トイレットペーパーを前記上面上に支持し、
前記ペーパー切り取りエッジ部は、回動により前記ペーパー支持部に対向し、前記ペーパー切り取りエッジ部と前記ペーパー支持部とで前記トイレットペーパーを挟んで切り取り、前記ペーパー支持部の前記上面に前記トイレットペーパーを残留させ、前記トイレットペーパーロールから分離するように構成したことを特徴とするトイレットペーパーロール保持器。
【請求項６】
前記ペーパー支持部が鉛直方向に対し成す前記角度は、１０度から３０度であることを特徴とする請求項４又は請求項５に記載のトイレットペーパーロール保持器。
【請求項７】
前記ペーパー支持部の前記上面に前記ペーパー切り取りエッジ部を嵌合する嵌合溝を有することを特徴とする請求項１から６のいずれか一項に記載のトイレットペーパーロール保持器。